(57)【特許請求の範囲】
【請求項１】
木製支柱（１８）の、地中部（６）及び地上地際部（７）即ち支柱脚部（１１）を、地中（２６）や根巻コンクリート（１４）及び地面（１５）や水中の地中部（２８）に設置するとき、支柱脚部（１１）を固形の底付保護材（１）で包囲し、木製支柱（１８）と固形の底付保護材（１）の間に空隙（３）を設け、この空隙（３）に防腐剤（４）を注入し、その頂部（９）をコーキング材（１０）で塞ぐことを特徴とする木製支柱の保護防腐朽工法
【請求項２】
木造構築物に於いて、木製支柱（１８）の地中部（６）及び地上地際部（７）即ち支柱脚部（１１）を、固形の底付保護材（１）で包囲し、木製支柱（１８）と固形の底付保護材（１）の間に空隙（３）を設け、この空隙（３）に防腐剤（４）を注入し、その頂部（９）をコーキング材（１０）で塞いだ保護防腐朽工法を施すことを特徴とする木造構築物
【発明の詳細な説明】
【０００１】
【発明が属する技術の分野】
本発明は木製支柱（１８）の保護防腐朽工法と、これを施した木造構築物に関するものである。
【０００２】
【従来の技術】
従来の木製支柱（１８）は、木材（２）が腐朽し易いと云う観点から、防腐剤（４）で全木材を、直接塗布することや長時間防腐剤（４）に浸漬したり特殊な装置で防腐剤（４）を加圧注入すること等であった。従来の木造構築物の防腐朽処理は、木材全体に防腐剤（４）を、直接塗布することや浸漬或いは加圧注入すること及び、木材の代わりに金属類を材料として施工していた。
【０００３】
【発明が解決しようとする課題】
木材（２）は、自然の環境や景観に優れた特徴をもつ材料であるが、耐腐朽性の問題や防腐剤の環境に対する影響及び、防腐処理が高価であることが課題であった。今日における木製支柱（１８）の耐腐朽性向上に使用される防腐剤（４）は、動物や植物に対する安全性は、改善されつつあるものの、未だ自然環境への影響に対しては充分に解決できていないし、高価である。木造構築物に於いては防腐剤を、全木材に塗布することや浸漬あるいは加圧注入等の防腐朽処理を施して居り、耐腐朽性は向上するが、経年的に雨水や気象変化等の自然現象に依って、防腐剤（４）の溶脱が生じ、自然環境に悪影響を及ぼすと共に耐腐朽性が減少し又、費用が高価であった。この為、防腐剤（４）の溶脱を防止することと、耐腐朽効果を高めることや、防腐剤（４）の使用量の節減等で、環境対策や費用の節減が課題であった。
【０００４】
【課題を解決する為の手段】
木材（２）は適切な乾燥状態を保たれて居れば、永い間腐朽し難いことは、古い木造建築物で実証されていることに基き、腐朽し易い部分のみを保護防腐朽工法を施すことを考えた。前記課題を解決するため、木製支柱（１８）の特に腐朽され易い地中部（６）及び地上地際部（７）即ち支柱脚部（１１）を、地中（２６）や根巻コンクリート（１４）及び地面（１５）や水中の地中部（２８）に設置するとき、支柱脚部（１１）を、金属や合成樹脂等の固形の底付保護材（１）で包囲し、これと木製支柱（１８）との間に空隙（３）を設け、この空隙（３）に防腐剤（４）を注入し、その頂部（９）をコーキング材（１０）にて塞ぐことに依り、防腐剤（４）が自然環境に溶脱することを防ぐと同時に、木製支柱（１８）の内芯部に含浸して行き、耐腐朽効果を高める。必要に応じコーキング材（１０）を削り頂部（９）から防腐剤（４）を補充することも出来る。木造構築物に於いても上記工法を木製支柱（１８）の支柱脚部（１１）に施すことで、今日迄のように金属製で構築物を設置したり、全木材を防腐処理しなくても充分に耐久性の向上を図ることが出来、自然景観を保ち乍ら自然環境にも悪影響を与えず、低コストで当初の課題を解決出来る。
【０００５】
【発明の実施の形態】
発明の実施の形態を実施例に基づき、図面を参照として説明する。図１、図２は、後述する図５〜図７に示す実施例の各断面図を示し、図３は図１又は図２のＡ−Ａ’線の断面図である。図３に於いて木製支柱（１８）の支柱脚部（１１）は乾湿を繰り返し大気に晒されるため、早く腐朽されることになることと考え、この部分を固形の底付保護材（１）で包囲し、防腐剤（４）を注入することで、解決できると考えた。
【０００６】
本発明に於ける固形の底付保護材（１）は、金属や合成樹脂製等が考えられるが一般的には、支柱の外径（８）に応じた耐腐朽性がある、金属か合成樹脂製等のパイプの底を塞いだものが、安価で防蟻も出来、適当と考えられる。木造構築物の支柱脚部（１１）では、地面（１５）や根巻コンクリート面（２９）及び水面（２７）から５０ｃｍ程度上迄を固形の底付保護材（１）で包囲し、防腐剤（４）を空隙（３）に注入し、その頂部（９）をコーキングすることで防腐剤（４）が大気への溶脱を防ぎ、内芯部にも含侵し、雨水の浸入を防ぎ耐腐朽性を向上させることが出来る。防腐剤（４）が内芯部に浸透して行き空隙（３）が低圧になり防腐剤（４）の含浸が妨げられることと考え、空隙（３）の内圧を調整するために、固形の底付保護材（１）の頂部（９）に、雨水が入らない程度の微細な切欠（１３）を設け頂部（９）をコーキングする又、頂部（９）からの雨水の浸入を防止するためのキャップ（２４）や乾燥に依る日割れ防止の切欠溝（２５）も必要と考えた。この工法は、自然環境に配慮しなければならない地域の木造構築物での実施例、雪崩予防柵（図５）・防護柵（図６）や防風雪柵（図７）及びの水中桟橋（図８）等の支柱脚部（１１）に施すことで、自然環境や耐腐朽性の向上に対応できると共に、費用を削減することが出来る。
【０００７】
【実施例】
木製支柱（１８）の外径（８）に適応した、金属又は合成樹脂製等の固形の底付保護材（１）の中に木製支柱（１８）を挿入し、必要な空隙（３）を設け、この中に防腐剤（４）を注入し、その頂部（９）をコーキング材（１０）で塞ぐことで、防腐剤（４）の大気中への溶脱と雨水の支柱脚部（１１）へ侵入を防ぐと共に、防腐剤（４）の内芯部への含浸が図れる、木製支柱（１８）が内部に於いて移動する恐れがあるときは、木材等に依るスペーサー（５）を底（１２）迄挿入することに依り固定することが出来る。防腐剤（４）が含浸することで、空隙（３）の内圧が下がり含浸を阻害しないよう固形の底付保護材（１）の頂部（９）に、雨水が流入しない程度の微細な切欠（１３）を設け内圧の調整を図る。木材（２）の乾燥に依る日割れを防止させるため縦長に切欠溝（２５）を入れ、これをコーキングする。雨水が頂部からの浸入を防止するためキャップ（２４）を付ける。木造構築物の実施例を説明する。図５に於ける雪崩予防柵の支柱脚部（１１）、実施例図６の防護柵に於ける支柱脚部（１１）実施例図７に於ける防風雪柵の根巻コンクリート（１４）に於ける支柱脚部（１１）及び実施例図８の水中桟橋に於ける支柱脚部（１１）等に同工法を施すことで、自然環境に応しい、安価で耐久性のある木造構築物を設けることが出来る。
【０００８】
実施例各図に於ける（１）は固形の底付保護材である。図５は雪崩予防柵に於ける正面図（ａ）と側面図（ｂ）であり（１１）は支柱脚部、（１５）は地面、（１６）は梁材、（１７）は筋違、（１８）は木製支柱、（１９）は崩雪荷重に対応する支持ロープである。図６は防護柵における（ａ）は正面図、（ｂ）は側面図であり（１１）は支柱脚部、（１５）は地面、（１８）は木製支柱、（２０）は防護材である。図７は防風雪柵に於ける（ａ）は正面図、（ｂ）は側面図であり、（１１）は支柱脚部、（１４）は根巻コンクリート、（１５）は地面、（１８）は木製支柱、（２１）は必要に応じて脱着できる脱着パネル、（２２）は振止め用の控柱、（２３）は定形を固定させるための挟樌である。次に水中桟橋について説明する。図４は図３に相当する図面で水中の地中部に設置する木製支柱のＡ−Ａ’線の側・断面図であり、図８は水中桟橋に於ける（ａ）は正面図、（ｂ）は側面図であり、木製支柱（１８）を固形の底付保護材（１）で水面（２７）上迄包囲し、水中の地中部（２８）に設置する。（３１）は敷板、（３０）は行桁、（１６）は梁材、（１７）は筋違である。又、図５、図６に於けるキャップ（２４）は頂部からの雨水の浸入を予防する為のものである。尚、各木製支柱（１８）には乾燥に依る日割れを防ぐため木材（２）に適合した切欠溝（２５）を縦長に入れこれをコーキングする。又、木材（２）の強度を劣化させない為に支柱脚部（１１）以外の所を環境に適応じた撥水塗装をすることが効果的である。
【０００９】
【発明の効果】
この発明は、防腐剤（４）が自然環境へ溶脱することを防げるため、自然環境への悪影響を防止し、長期間に亘り防腐剤（４）が木製支柱（１８）の内芯部に含浸して行き耐腐朽効果を高め、必要な部分にのみしか防腐剤（４）を使用しないため防腐剤（４）の節約になり又、頂部（９）から防腐剤（４）を補充することも出来るため、耐腐朽性が向上し、費用の縮減になる。この工法は、自然環境や景観を重要視する地域に於ける木造構築物の、雪崩予防柵（図５）・防護柵（図６）・防風雪柵（図７）及び水中桟橋（図８）等の耐腐朽性を向上し、安価で自然環境や景観に相応しい耐久性に優れた木造構築物を設置することが出来ると同時に、暫増して行く間伐材の利用促進にも寄与することができる。
【図面の簡単な説明】
【図１】木材（丸太材）を使用した実施例の断面図
【図２】木材（角材）を使用した実施例の断面図
【図３】図１及び図２のＡ−Ａ’線の側・断面図
【図４】図３に相当する図で水中部に於けるＡ−Ａ’線の側・断面図
【図５】雪崩予防柵の実施例で、（ａ）は正面図、（ｂ）は側面図である。
【図６】防護柵の実施例で、（ａ）は正面図、（ｂ）は側面図である。
【図７】防風雪柵の実施例で、（ａ）は正面図、（ｂ）は側面図である。
【図８】水中桟橋の実施例で（ａ）は正面図、（ｂ）は側面図である。
【符号の説明】
１．固形の底付保護材                    ７．地上地際部
２．木材（丸太材・角材）                ８．支柱の外径
３．空隙（防腐剤を充填するところ）      ９．頂部
４．防腐剤                            １０．コーキング材
５．スペーサー                        １１．支柱脚部
６．地中部                            １２．底
１３．切欠
１４．根巻コンクリート
１５．地面
１６．梁材
１７．筋違
１８．木製支柱
１９．支持ロープ
２０．防護材
２１．脱着パネル
２２．控柱
２３．狭樌
２４．キャップ
２５．切欠溝
２６．地中
２７．水面
２８．水中の地中部
２９．根巻コンクリート面
３０．行桁
３１．敷板
【図１】
0003704537.tif 000002
【図２】
0003704537.tif 000003
【図３】
0003704537.tif 000004
【図４】
0003704537.tif 000005
【図５】
0003704537.tif 000006
【図６】
0003704537.tif 000007
【図７】
0003704537.tif 000008
【図８】
0003704537.tif 000009